(57)【要約】【課題】細長い物品用のパッケージハウジングを提供すること。【解決手段】パッケージハウジングは、細長い物品（８）の容器（４）を形成するハウジング壁（６）を有するベース部材（２）を備え、容器（４）は包装状態の物品（８）の長手軸とほぼ同軸に延びる長手軸（Ｌ）を有している。ベース部材（２）は、ヘッド部（１０）と該ヘッド部（１０）に隣接して長手軸（Ｌ）の方向に配置された保持部（１２）を備えており、保持部（１２）は、弱体化ゾーン（３０）でヘッド部（１０）に連結され、保持部（１２）に物品（８）を保持する少なくとも一つの保持手段（３４）を備えている。弱体化ゾーン（３０）は所定の破断ポイント（３２）である。保持手段（３４）は少なくとも一つのスペーサ（４２ａ，４２ｂ）を有し、包装状態の物品（８）を長手軸（Ｌ）の方向に延びる保持部（１２）のハウジング壁（６）に非接触状態で保持する。【選択図】図１
2011057293.tif 000002
【特許請求の範囲】
【請求項１】
細長い物品（８）用のパッケージハウジングであって、該パッケージハウジングは、細長い物品（８）用の容器（４）を定めるハウジング壁（６）を有するベース部材（２）を備えており、ここで、容器（４）は、包装状態の物品（８）の長手軸とほぼ同軸に延びる長手軸（Ｌ）を有しており、また、ベース部材（２）は、ヘッド部（１０）と該ヘッド部（１０）に隣接して長手軸（Ｌ）の方向に配置された保持部（１２）を備えており、該保持部（１２）は、弱体化ゾーン（３０）でヘッド部（１０）に連結されると共に、保持部（１２）に物体（８）を保持する少なくとも一つの保持手段（３４）を備えており、また、弱体化ゾーン（３０）は所定の破断ポイント（３２）であり、保持手段（３４）には、少なくとも一つのスペーサ（４２ａ，４２ｂ）が配置され、該スペーサは、包装状態の物品（８）が、長手軸（Ｌ）の方向に延びる保持部（１２）のハウジング壁（６）の部分に非接触状態で保持されるように形成されている、ことを特徴とするパッケージハウジング。
【請求項２】
所定の破断ポイント（３２）は、容器（４）の長手軸（Ｌ）にほぼ直角に延びていることを特徴とする請求項１に記載のパッケージハウジング。
【請求項３】
所定の破断ポイント（３２）は、ヘッド部（１０）と保持部（１２）との間で所定の角度で折り曲げられた場合に破断する少なくとも一つのブリッジ部（２８ａ，２８ｂ）を備えていることを特徴とする請求項１または２に記載のパッケージハウジング。
【請求項４】
少なくとも一つのスペーサ（４２ａ，４２ｂ）は、容器（４）から突出する突出部の形状に形成されており、該突出部は、物品の支持表面（４４ａ，４４ｂ）を形成することを特徴とする請求項１から３のいずれかに記載のパッケージハウジング。
【請求項５】
突出部は、容器（４）の最深部に突出していることを特徴とする請求項４に記載のパッケージハウジング。
【請求項６】
保持部（１２）は、保持手段（３４）のみを備えることを特徴とする請求項１から５のいずれかに記載のパッケージハウジング。
【請求項７】
保持手段（３４）は、所定の破断ポイント（３２）に隣接する領域に配置されていることを特徴とする請求項１から６のいずれかに記載のパッケージハウジング。
【請求項８】
保持手段（３４）は、スナップ固定結合手段により物体を保持する形状であることを特徴とする請求項１から７のいずれかに記載のパッケージハウジング。
【請求項９】
保持手段（３４）は、容器（４）長手軸（Ｌ）に関して互いに対向するように配置された二つの弾性スナップ固定リップ（３６ａ，３６ｂ）を備えることを特徴とする請求項８に記載のパッケージハウジング。
【請求項１０】
パッケージハウジングの内側は殺菌されていることを特徴とする請求項１から９のいずれかに記載のパッケージハウジング。
【請求項１１】
ベース部材（２）は、容器（４）の長手軸（Ｌ）に関して互いに対向する端部のそれぞれに、長手軸に直角に延びる平面にある端部壁（２２，２４）を備えることを特徴とする請求項１から１０のいずれかに記載のパッケージハウジング。
【請求項１２】
ヘッド部（１０）の端部壁（２２）は、容器（４）に向かって先細となるガイド（４９）を有しており、また、ガイドは、クランプ動作手段で物品（８）を保持する形状に形成されていることを特徴とする請求項１から１１のいずれかに記載のパッケージハウジング。
【請求項１３】
ヘッド部（１０）及び／または保持部（１２）は、ほぼトラフの形状に形成されていることを特徴とする請求項１から１２のいずれかに記載のパッケージハウジング。
【請求項１４】
容器（４）は、透き通る包装フィルムで覆われることを特徴とする請求項１から１３のいずれかに記載のパッケージハウジング。
【請求項１５】
ドリルアタッチメント、特に、歯科ドリルアタッチメントに使用することを特徴とする請求項１から１４のいずれかに記載のパッケージハウジングの使用方法。
【請求項１６】
請求項１から１４のいずれかに記載のパッケージハウジングと細長い物品を含むパッケージアレンジメント。
【請求項１７】
物体は、ドリルアタッチメント、特に、歯科ドリルアタッチメントであることを特徴とする請求項１６に記載のパッケージアレンジメント。
【発明の詳細な説明】
【技術分野】
【０００１】
本発明は、請求項１で請求する細長い物品用のパッケージハウジング、請求項１５で請求するドリルアタッチメント、特に歯科ドリルアタッチメント用のパッケージハウジングの使用方法、及び、請求項１６で請求するパッケージハウジングと細長い物品を含むパッケージアレンジメントに関するものである。
【背景技術】
【０００２】
例えば、ドリルアタッチメントのような細長い物品用のパッケージハウジングは、従来から良く知られている。例として、特許文献１及び特許文献２を参照すると、特に、ドリル（ドリルアタッチメント）に適した包装が説明されている。
【０００３】
歯科ドリルアタッチメントは壊れやすいため、包装する際の要求が特に高い。この包装は、例えば、歯科インプラントドリルが、床に落下した場合でも損傷を受けない状態にあることが保証されなければならない。
【０００４】
さらに、歯科ドリルアタッチメントは、使用時に無菌状態に維持されていなければならない。無菌状態を保証するために、一方では、少なくともドリルの先端、すなわち、患者の組織に接触する部分は、使用直前まで無菌状態に維持されなければならない。他方では、ドリルを、このドリルの切削領域（「ビット」）に触ることなく包装から取り出すことができなければならない。
【０００５】
それに対応して、特許文献３には、壊れやすい物品用の個々の包装ユニットが説明されており、この包装ユニットは、壊れやすい物品の脚部を挿入して、自立するように突出させる上向きの収納穴を含むベースを備えている。ここでは、壊れやすい物品は、保護キャップ手段で保護されている。特許文献３に説明されている包装は、長手軸を横切るように延びる軸の周りに折り畳むことができ、保護される物品には、折り畳む過程で自由にアクセスすることができる。
【０００６】
しかしながら、この包装は、包装内にドリルを配置するという理由から、ベースと収納穴は、物品が望まない汚染を防止するために超清浄でなければならないという欠点を有している。この必要性は、一方では、包装用の材料の適切な選択を、また、他方では、包装の製造が、比較的高コストを伴うクリーンルームの状況下で行わなければならない。さらに、包装した物品が収納穴に落ち込んでいるため、見た目の感覚が制限される。結果として起こる重大ミス、具体的には歯科ドリルアタッチメントに関連する事故は、無菌状態のバリアが一旦破壊されるともはや無菌性は保証されないため、また、その結果、歯科ドリルアタッチメントは廃棄しなければならないため、特に、望ましくないものである。
【先行技術文献】
【特許文献】
【０００７】
【特許文献１】米国特許第５７７５４９９号公報
【特許文献２】米国特許公開第２００１／０００８２１５号公報
【特許文献３】独国特許公開第１０２００５０２２３８５号公報
【発明の概要】
【発明が解決しようとする課題】
【０００８】
本発明の目的は、細長い物品の少なくとも一部を外側から無菌状態下で明瞭に視認可能であり、また、同時に、製造に使用される材料に制限されることがなく、物品が取り出される場合を含んで、細長い物品の一部の汚染を防止することを可能とする、細長い物品用のパッケージハウジングを提供することにある。
【課題を解決するための手段】
【０００９】
この目的は、請求項１で請求するパッケージハウジングによって達成される。このパッケージハウジングの好適な実施の形態は、従属請求項で定義されている。
【００１０】
ベース部材は、実質的に寸法が一定の形状であり、包装される物品のキャリアの役目を果たす。ベース部材のハウジング壁によって形成される容器は、ここでは、包装状態の物品の長手軸にほぼ同軸に延びる長手軸を有している。
【００１１】
ベース部材は、ヘッド部と、このヘッド部に隣接して長手軸の方向に配置され、弱体化ゾーンによってヘッド部に連結された保持部を備えている。保持部は、ここでは、少なくとも一つの保持手段を備えており、この保持手段は、包装される物品を保持部に保持することを目的としている。
【００１２】
本発明に従うと、弱体化ゾーンは所定の破断ポイントである。
【００１３】
本発明に従うパッケージハウジングは、包装した物品全体を、外側から明瞭に視認でき、かつ、取り外される直前まで無菌状態に維持する。取り外す際には、パッケージハウジングは、所定の破断ポイントで破断される。ヘッド部が折り取られた後、保持手段で保持された包装物品は、第１の近端部領域が自立した状態で、保持部の露出端部から突出し、また、物品の近端部領域と反対側の遠端部領域は保持部にあり、前述したように、無菌状態下で保持することができる。物品は、今や近端部領域を把持して保持部から取り外すことができ、つまり、物品の近端部領域の無菌部位に接触するが、物品の遠端部領域に接触することなく取り外すことができる。
【００１４】
さらに、保持部は、少なくとも一つのスペーサを備えており、このスペーサは、包装状態の物品を、長手軸の方向に延びる保持部のハウジング壁部に対して非接触状態で保持する。これにより、物品は、ハウジング壁に接触することにより発生する可能性がある汚染を避けることができる。これは、ドリル先端の鋭利なドリル刃（スレッド）とハウジング壁との間で摩擦が発生することにより、ここで形成された材料の切れ端がドリルの先端を汚染する可能性があるので、特に包装したドリルアタッチメントに関連して問題とされることである。
【００１５】
上述したように、本発明のパッケージハウジングは、少なくともある領域では無菌状態に維持されなければならない物品に特に適しており、把持することが避けられないポイントだけで、殺菌していない異質の部材に接触する状態とならなければならない。細長い包装物品は、ここでは、無菌状態に維持される遠端部領域が保持部に置かれ、把持される近端部領域はヘッド部に置かれるように配置される。ドリルアタッチメント（歯科ドリルアタッチメント）の場合は、本発明のパッケージハウジングは、特に好適であり、ドリルの先端が保持部に配置され、このドリルに連結されるドリルシャンクはヘッド部に配置される。
【００１６】
通常、所定の破断ポイントは、容器の長手軸にほぼ直交するように延びており、最も簡単な方法で、保持部からヘッド部を折り取ることができる。
【００１７】
所定の破断ポイントは、例えば、ブリッジ部（架橋部）を形成し、かつ、壊れやすい材料から形成される連結ポイントの形態で存在することがある。この好適な実施の形態では、所定の破断ポイントは、少なくとも一つのブリッジ部を含んでおり、ヘッド部と保持部との間で所定の角度で折り曲げられた場合に破断する。ここでは、折り曲げ角度は、好適には、４５°から９０°である。
【００１８】
特に、図面に示すように、少なくとも一つのスペーサは、容器から突出する突出部の形態の形状であり、この突出部は、包装される物品の支持表面を形成する。この実施の形態では、例えば、突出部が容器の最深部から突出する場合、非常に効果的なスペーサの形状を達成することができるはずである。スペーサの数、或いは、スペーサの離れる間隔は、物品によって変えることができる。
【００１９】
上述した理由により、包装される物品とベース部材との間の接触面をできるだけ小さくするために、保持部は、単一の保持手段のみで構成される。この保持部は、好適には、所定の破断ポイントに隣接する領域に配置される。それによって、保持手段と把持部領域との間の間隔を減少することができ、把持される物品を、ほんの少しの努力で保持手段から取り外して、保持部から取り外すことができる。
【００２０】
好適には、保持手段は、スナップ固定結合手段で物品を保持するように構成されている。特に好適には、保持手段は、容器の長手軸に関して互いに対向するように配置された二つの弾性を有するスナップ固定リップを備えている。物品を取り外すために、物品が容器から離れる方向に動かされるとすぐに、スナップ固定リップは、物品の取り外しに従って側方に屈曲され、再び跳ね返る。好適には、取り外すために必要とする引き離す力は、３〜６Ｎである。
【００２１】
パッケージハウジング内に物品を安定して配置することは、ベース部材が、容器の長手軸に関して互いに対向する端部のそれぞれに、長手軸に直角に延びる平面の端部壁を備えることによって可能となる。それによって、物品は、長手軸方向の移動に対抗するように固定することができる。
【００２２】
物品のさらなる固定は、ヘッド部の端部壁が容器の方向に向かって先細となるガイドを備えており、このガイドがクランプ動作で物品を保持するように形成されていることによって保証することができる。
【００２３】
上述したように、本発明に従うパッケージハウジングは、特に、少なくともある領域では無菌状態に維持されなければならない物品に適している。それに対応して、好適な実施の形態では、パッケージハウジングの内側は無菌状態である。
【００２４】
通常、物品を収容する容器はカバーで保護される。物品を外側から視認できるようにするために、容器は、特に好適には、透き通る包装フィルムで覆われ、それによって、ブリスター包装のハウジングとなる。
【００２５】
別な態様によると、本発明は、パッケージハウジングと細長い物品、特にドリルアタッチメントを含むパッケージアレンジメントに関連する。包装物品がドリルアタッチメントの場合、本発明によれば、ドリルのビットに接触することなく、パッケージハウジングからドリルを取り外すことが可能となる。
【００２６】
通常、容器の形状は、包装される細長い物品の形状に一致しており、包装される物品がドリルアタッチメントの場合、ヘッド部及び／または保持部は、好適には、ほぼトラフの形状（樋の形状）に形成される。
【００２７】
パッケージハウジングの把持と保持を最適とするために、ベース部材は、長手軸方向に延びる側壁部分の両側に形成することができる。この側壁部分には、その外壁に、グリップとなることを目的として、リブを配置することができる。
【００２８】
本発明に従うベース部材は、通常、合成樹脂材から形成されている。所定の破断ポイントの利用または形状によれば、材料は、高い屈曲性と脆弱性を示してもよい。
【００２９】
一般に、本発明のベース部材は、射出成形によって成形される。このため、ベース部材は、射出ポイントの押圧領域を有している。
【００３０】
本発明は、図面を参照して詳細に説明される。
【図面の簡単な説明】
【００３１】
【図１】図１は、本発明に従うパッケージハウジングのベース部材の斜視図であり、弱体化ゾーンが所定の破断ポイントの形態で形成されている。
【図２】図２は、図１に示すベース部材の長手側の平面図である。
【図３】図３は、図１に示すベース部材の上方からの平面図である。
【図４】図４は、図１に示すベース部材の下方からの平面図である。
【図５】図５は、図１に示すベース部材のＡ−Ａ線に沿った横断面図である。
【図６】図６は、図１に示すベース部材のＢ−Ｂ線に沿った横断面図である。
【図７】図７は、図１に示すベース部材のＣ−Ｃ線に沿った横断面図である。
【図８】図８は、図１に示すベース部材のＤ−Ｄ線に沿った横断面図である。
【図９】図９は、図１に示すベース部材のＥ−Ｅ線に沿った横断面図である。
【図１０】図１０は、図１に示すベース部材のＦ−Ｆ線に沿った縦断面図である。
【図１１】図１１は、図２のＸ部の拡大図であり、所定の破断ポイントが詳細に示されている。
【図１２】図１２は、所定の破断ポイントの代わりに保持領域を有するベース部材の長手側の平面図である。
【図１３】図１３は、図１に示すベース部材の斜視図であり、ドリルアタッチメントが保持されている。
【図１４】図１４は、本発明のさらに他の実施の形態のベース部材の斜視図である。
【発明を実施するための形態】
【００３２】
図１〜１１及び１３に示す実施の形態に従うベース部材２は、物品用の容器４を形成するハウジング壁６を有している。容器４は、図３に示す長手軸Ｌを有しており、この長手軸は、図１３に示されている包装状態の物品８の長手軸とほぼ同軸に延びている。
【００３３】
ベース部材２は、ヘッド部１０と、このヘッド部１０に隣接して長手軸Ｌの方向に配置された保持部１２を備えている。保持部１２は、ここでは、ヘッド部１０よりも長い形状である。図示した実施の形態では、保持部１２の長手方向の範囲と、これに対応するヘッド部１０の長手方向の範囲との比率は、３：１である。しかしながら、この目的のためには他の適当な比率が想定される。
【００３４】
ヘッド部１０と保持部１２の両方は、断面鎌形状のトラフフロア１６と、特に図５及び６に示すように水平方向で外側に突出するトラフリム１８と、を有するほぼトラフ１４の形状（樋の形状）に形成されている。このように、ベース部分２のハウジング壁６の内側６’は、ほぼ円形の曲面を有している。パッケージハウジングを平坦面上に安定させて置くことができるように、トラフフロア１６の外側１６”は、平坦部２０を有している。例えば、図５及び図６と図７〜図９とを比較してみると、ヘッド部１０のトラフフロア１６の断面形状は、保持部の断面形状と一致している。
【００３５】
長手軸Ｌに関して互いに対向する端部で、ベース部材２は、長手軸に直角に延びる平面に存在する端部壁を備えている。ヘッド部１０の自由端部に、第１の近端部壁２２が配置されており、また、保持部１２の自由端部に、第２の遠端部壁２４が配置されており、この遠端部壁は、近端部壁２２とほぼ平行な平面に配置されている。両端部壁２２，２４は、例えば、図５、図６及び図８並びに図７及び図９に示すように、角部が丸い形状の台形の形状で互いに一致する形状に形成されている。
【００３６】
図３に示す幅形状から見ると、保持部１２のトラフリム１８は、遠端部壁２４に隣接する遠端部領域１８’で遠端部壁２４に向けて広がっている。その最も広い地点で、保持部１２のトラフリム部分１８ａの幅は、ヘッド部１０のトラフリム部分１８ｂの幅とほぼ一致している。遠端部領域１８’と近端部領域１８”の両方で、図２に示す厚さ形状で示すように、トラフリムは内側に湾曲して、対応する端部壁２４及び２２に対して流れるように結合されている。
【００３７】
保持部１２に隣接するヘッド部１０の領域１０’では、トラフリム１８は、保持部１２に向けて徐々に細くなっている。さらに、図２から図１１に示すように、ヘッド部１０はこの領域で次第に細くなっており、また、厚さから見ると、トラフフロア１６の内側は、この領域で凸状に湾曲する形状に形成されている。特に、図３に示すように、保持部１２とヘッド部１０との間の連結領域にギャップ（割れ目）２６が形成されており、この連結領域は、ブリッジ部（架橋部）２８ａと２８ｂを形成する二つの連結ポイントだけで実現されている。
【００３８】
この二つのブリッジ部２８ａ，２８ｂは、弱体化ゾーン３０に配置され、かつ、ヘッド部１０が長手軸Ｌの方向から外れて屈曲できる旋回軸Ｓを形成している。少なくともこの弱体化ゾーン３０でベース部材２の材料は弱体化されているので、比較的わずかの屈曲により、連結部が破断される。この実施の形態では、弱体化ゾーン３０は、所定の破断ポイント３２を形成する。
【００３９】
弱体化ゾーン３０に隣接する保持部１２の領域に、トラフフロア１６から突出する保持手段３４が配置されている。この保持手段は、長手軸Ｌの周りに配置されている二つの弾性を有するスナップ固定リップ３６ａ，３６ｂを備えており、長手軸Ｌに面するスナップ固定リップの内側３６ａ’、３６ｂ’はそれぞれボス３８ａと３８ｂを有している。スナップ固定リップ３６ａ，３６ｂは、包装される物品が導入された場合に、互いに側方に屈曲して、続いて、ボス３８ａ，３８ｂを乗り越えると、弾性的に跳ね返って、それによって、ラッチ係合して、細長い物品を安定して保持する形状に形成されている。スナップ固定リップ３６ａ，３６ｂが側方に屈曲した際に、トラフフロア１６に過大応力が作用しないように、トラフフロア１６は、スナップ固定リップ３６ａ，３６ｂの間に開口部４０を有している。
【００４０】
スナップ固定リップ３６ａ，３６ｂは、長手軸Ｌの方向の中央に配置されたスペーサ４２ａと４２ｂの両側の側面に位置している。各スペーサは、細長い物品用の支持表面４４ａと４４ｂを形成している。特に、図３に示されているように、ギャップ２６は、ほぼＵ字形状であり、スペーサ４２ａは、Ｕ字形状の脚部の間で終了するヘッド部１０の側面に配置されている。
【００４１】
さらに、近端部壁２２は、ヘッド部のほぼ全長に延びる二つの突出部４６ａ，４６ｂを有している。これらの突出部は、細長い物品のガイド４９の役目を果たす溝部４８を形成している。溝部４８は、トラフフロア１６の方向に徐々に細くなるように形成され、保持手段３４によるスナップ固定結合に加えて、クランプ動作により、細長い物品を確実に保持する。突出部４６ａ，４６ｂの間に、さらに、ヘッド部１０のトラフフロア１６から突出するスペーサ４２ｃが配置されており、このさらなるスペーサは、包装される物品のさらなる支持表面４４ｃを形成する。さらに、突出部４６ａ，４６ｂの間に、近端部壁２２から突出する成形部５０が配置されており、この成形部は、近端部壁２２と包装される物品の近端部との間のスペーサとして機能する。
【００４２】
例えば、特に、図５、図９及び図１０に示すように、ベース部材２は、近端部領域と遠端部領域の両方に、物品を洗浄した後に容器４から排水するための開口部５１と５３を有している。
【００４３】
物品がベース部２内に導入されると、物品の近端部領域がヘッド部の溝４８にガイドされる。同時に、保持部１２のスナップ固定リップ３６ａ，３６ｂが側方に曲げられ、続いて、ボス３８ａ，３８ｂを乗り越えると、弾性的に跳ね返って、それによって、ラッチ係合して、細長い物品は安定して保持される。次に、物品はベース部２と一緒に、例えば、透き通る包装フィルムなどの保護カバーで覆われる。
【００４４】
物品を取り外すために、ヘッド部１０が保持部１２から折り取られると、その後、保持部１２と保持手段３４にスペーサ４２ａ，４２ｂが配置されているため、物品は、自立した状態で、保持部１２から突出する。物品は、保持部１２に配置された遠端部領域の無菌状態を危うくすることなく、突出している近端部領域を把持することができる。本発明に従うパッケージハウジングに包装されたドリルアタッチメントの場合、ビットに接触することなく取り出すことが可能となる。
【００４５】
図１〜図１１に示す本発明に従う実施の形態に係る弱体化ゾーンとは対照的に、図１２に示すベース部材では、ヘッド部１０と保持部１２との間の連結ゾーンは、連続した表面と保持ゾーンとして形成されている。
【００４６】
図１３に示すように、物品８はドリルアタッチメント５２で構成することができ、ドリルアタッチメントの近端部、すなわち、ドリルの近端部領域５２’はヘッド部に配置され、また、ドリル刃（図示省略）を備えたドリルチップ５４を有する遠端部領域５２”は、保持部１２に配置される。ここでは、ドリルアタッチメント５２は、そのシャンク部５６が、ヘッド部１０の保持手段３４に保持されるか、または、ガイド手段４９に固定される。ドリルアタッチメントを取り外す際には、ヘッド部１０が折り取られ、その後、ドリルアタッチメント５２は、その近端部領域５２’が自立した状態で保持部１２から突出して、ドリルに連結することができる。このようにしてドリルに固定されたドリルアタッチメント５２は、ドリルアタッチメント５２の遠端部領域５２”に接触することなく、保持部１２から取り外すことができる。
【００４７】
図１４に示すベース部材２は、図１〜図１１及び図１３に示すべース部材とは、遠端部壁２４に隣接して、かつ、長手軸Ｌの方向に延びる側壁部５８ａ，５８ｂを両側に備えることが基本的に異なっている。ここでは、各側壁部５８ａ，５８ｂは、トラフリム１８の面にほぼ直角に延びる平面に延びており、また、トラフリム１８に、このトラフリムと一体のウェブ６０で連結されている。図示した実施の形態では、側壁部５８ａ，５８ｂは、保持部１２の長さのほぼ半分より短い長さで延びている。
【００４８】
側壁部５８ａ，５８ｂの外側には、リブ６２が配置されており、図示した実施の形態では、このリブは、長手軸Ｌに直角に延びている。このリブは、ベース部材２またはパッケージハウジングの把持を向上させるように機能する。
【００４９】
さらに、図１４に示すベース部材は、図１〜図１１及び図１３に示すべース部材とは、近端部壁２２に突出部６４が形成され、この突出部は、トラフリム１８またはトラフフロア１６の面と平行に配置された平面に延びていることが異なっている。突出部６４はまた、ベース部材２またはパッケージハウジングを適切に把持し、かつ、手に持つことに役立ち、また、好適には、そのためにリブ６２’を有している。
【符号の説明】
【００５０】
２  ベース部材、４  容器、６  ハウジング壁、８  物品、１０  ヘッド部、１２  保持部、１４  トラフ、１６  トラフフロア、１８  トラフリム、２２  近端部壁、２４  遠端部壁、２６  ギャップ、２８ａ，２８ｂ  ブリッジ部、３０  弱体化ゾーン、３２  破断ポイント、３４  保持手段、３６ａ，３６ｂ  スナップ固定リップ、３８ａ，３８ｂ  ボス、４０  開口部、４２ａ，４２ｂ、４２ｃ  スペーサ、４４ａ，４４ｂ，４４ｃ  支持表面、４６ａ，４６ｂ  突出部、４８  溝部、４９  ガイド手段、５０  成形部、５２  ドリルアタッチメント、５２’  近端部領域、５２”  遠端部領域、５４  ドリルチップ、５６  シャンク部
【図１】
2011057293.tif 000003
【図２】
2011057293.tif 000004
【図３】
2011057293.tif 000005
【図４】
2011057293.tif 000006
【図５】
2011057293.tif 000007
【図６】
2011057293.tif 000008
【図７】
2011057293.tif 000009
【図８】
2011057293.tif 000010
【図９】
2011057293.tif 000011
【図１０】
2011057293.tif 000012
【図１１】
2011057293.tif 000013
【図１２】
2011057293.tif 000014
【図１３】
2011057293.tif 000015
【図１４】
2011057293.tif 000016